(57)【要約】【課題】霧化した水を効率よく食器表面に吸着させ、高効率な洗浄や濯ぎが可能な食器洗い機を実現する。【解決手段】霧化した水１０を負極８と正極９間で生じる放電により帯電させ、電気的に中性な食器２へ効率よく吸着させるようにしたものである。【選択図】図１
2005168795.tif 000002
【特許請求の範囲】
【請求項１】
食器を収容する洗浄槽と、前記洗浄槽内に吐出する液体を霧化する霧化装置と、前記霧化装置により霧化した液体に帯電させる帯電装置とを具備した食器洗い機。
【請求項２】
液体を霧化して帯電させる霧化帯電装置を設け、前記霧化帯電装置により発生した霧化帯電した液体を洗浄槽内に吐出するようにした請求項１記載の食器洗い機。
【請求項３】
帯電装置は、針状乃至は鋸歯状の導電体よりなる負極と、前記負極に対向するように設けた平板状乃至は針状乃至は平板状の導電体よりなる正極を有し、前記負極と正極間に直流乃至は交流の電圧を印加する構成とした請求項１または２記載の食器洗い機。
【請求項４】
霧化帯電した液体の洗浄槽内への吐出口に、網状乃至はスリット状の導電体よりなるグリッドを設け、前記グリッドに正電圧を印加する構成とした請求項１〜３のいずれか１項に記載の食器洗い機。
【請求項５】
食器を保持する導電性のかごを設け、前記かごに直流乃至は交流の正電圧を印加する構成とした請求項１〜４のいずれか１項に記載の食器洗い機。
【請求項６】
霧化装置は、超音波発振子により生じる超音波振動を液体に伝播し霧化する構成とした請求項１〜５のいずれか１項に記載の食器洗い機。
【請求項７】
霧化装置は、液体を加熱し蒸気化して霧化する構成とした請求項１〜６のいずれか１項に記載の食器洗い機。
【請求項８】
帯電装置は、負極と正極間に印加する直流乃至は交流電圧を２００Ｖ以上２ｋＶ以下とした請求項１〜７のいずれか１項に記載の食器洗い機。
【発明の詳細な説明】
【技術分野】
【０００１】
本発明は食器の洗浄を効率的に行う食器洗い機に関するものである。
【背景技術】
【０００２】
従来、この種の霧化した水乃至は洗剤水を利用する食器洗い機は、単に水乃至は洗剤水を霧化して微粒径のミスト状にしたものを食器洗い機の庫内に吐出する構成を有している（例えば、特許文献１参照）。図３は、特許文献１に記載された従来の食器洗い機を示したもので、食器２０と、ミスト発生器２１と、加熱器２２と、ファン２３から構成されている。
【特許文献１】特開平１１−３４６９８０号公報
【発明の開示】
【発明が解決しようとする課題】
【０００３】
しかしながら、前記従来の構成は、水乃至は洗剤水を効率的に食器に接触させることを目的として、水乃至は洗剤水を微粒径のミスト状として水乃至は洗剤水の表面積を増大させてはいたが、微粒径のミスト状になった水はドライフォグ現象により食器に対して撥水性を示すので、ミスト状の水乃至は洗剤水は目的に反して食器に接触や付着をし難くなり、結果として効率的な食器の洗浄や濯ぎは実現しないと言う課題を有していた。
【０００４】
前述のドライフォグ現象とは、微粒径のミスト状の水が表面一般に対して吸着しない現象のことであり、例えば、超音波発振子や加熱などの汎用手段により発生する水のミストにより部屋などを加湿する際に広く認められる現象であり、室内空気が十分に加湿されても室内の壁などがそれほど激しく吸湿しないことは本現象によるものである。
【０００５】
本発明は、前記従来の課題を解決するもので、霧化によりミスト状になった液体を食器に接触、吸着させることにより、効率的な食器の洗浄や濯ぎを実現する食器洗い機を提供することを目的とする。
【課題を解決するための手段】
【０００６】
前記従来の課題を解決するために、本発明の食器洗い機は、霧化装置により霧化した液体に帯電させる帯電装置を具備したものである。
【０００７】
これにより、液体の表面積を増大させるとともに、食器に対して示すドライフォグ現象を抑制することができることから、帯電したミスト状の液体は、電気的に中性な食器との間に働く電気的引力によって食器に接触し吸着させることができ、効率よく食器を洗浄することができる。
【発明の効果】
【０００８】
本発明の食器洗い機は、帯電させたミスト状の液体を、電気的に中性な食器との間に働く電気的引力によって食器に接触し吸着させることができ、効率よく食器を洗浄することができる。
【発明を実施するための最良の形態】
【０００９】
第１の発明は、食器を収容する洗浄槽と、前記洗浄槽内に吐出する液体を霧化する霧化装置と、前記霧化装置により霧化した液体に帯電させる帯電装置とを具備したことにより、水乃至は洗剤水の表面積が霧化による微粒径化により増大し、かつ霧化した水乃至は洗剤水は帯電されることにより電気的に中性な食器との間に電気的引力が働くので、ドライフォグ現象は抑制されて食器に効率良く接触、吸着するので、高効率な食器の洗浄や濯ぎが実現する。
【００１０】
第２の発明は、液体を霧化して帯電させる霧化帯電装置を設け、前記霧化帯電装置により発生した霧化帯電した液体を洗浄槽内に吐出するようにしたことにより、水乃至は洗剤水の霧化を行った後に霧化した水乃至は洗剤水を帯電させて洗浄槽内へ吐出させることとなり、帯電が均一に効率良く行われるので、食器の洗浄や濯ぎが更に効率良く行われることとなる。
【００１１】
第３の発明は、帯電装置は、針状乃至は鋸歯状の導電体よりなる負極と、前記負極に対向するように設けた平板状乃至は針状乃至は平板状の導電体よりなる正極を有し、前記負極と正極間に直流乃至は交流の電圧を印加する構成としたことにより、安定したコロナ放電が霧化した水乃至は洗剤水を挟む負極と正極間で発生するので、霧化した水乃至は洗剤水が安定して帯電されることとなる。
【００１２】
第４の発明は、霧化帯電した液体の洗浄槽内への吐出口に、網状乃至はスリット状の導電体よりなるグリッドを設け、前記グリッドに正電圧を印加する構成としたことにより、霧化して負に帯電した水乃至は洗剤水のミストは正電圧を有するグリッドにより加速されて食器洗い機の洗浄槽内に吐出されることとなり、洗浄槽内の隅々へも霧化して帯電した水乃至は洗剤水は行きわたるので、ムラのない均一な食器の洗浄や濯ぎが実現することとなる。
【００１３】
第５の発明は、食器を保持する導電性のかごを設け、前記かごに直流乃至は交流の正電圧を印加する構成としたことにより、霧化した水乃至は洗剤水を表面に吸着して導電性となった食器表面もまた正電圧を有することとなるので、食器と負電圧を有する霧化した水乃至は洗剤水との間に働く電気的引力は更に強くなり、霧化した水乃至は洗剤水は更に効率良く食器表面に吸着されることとなる。
【００１４】
第６の発明は、霧化装置は、超音波発振子により生じる超音波振動を液体に伝播し霧化する構成としたことにより、霧化して生じるミストが極めて微粒径となり水乃至は洗剤水の表面積が著しく増大し、食器の洗浄や濯ぎが更に効率良く行われることとなる。
【００１５】
第７の発明は、霧化装置は、液体を加熱し蒸気化して霧化する構成としたことにより、蒸気である高温のミストはより低温な室温の食器表面上で結露するので、霧化した水乃至は洗剤水の食器への吸着がより促進され、高効率な食器の洗浄や濯ぎが実現することとなる。
【００１６】
第８の発明は、帯電装置は、負極と正極間に印加する直流乃至は交流電圧を２００Ｖ以上２ｋＶ以下としたことにより、人体に有害なオゾン発生を伴わない安定したコロナ放電が実現するので、高効率な食器の洗浄や濯ぎを行い且つ人体に安全な食器洗い機が実現することとなる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態の食器洗い機の断面図、図２は霧化帯電装置の断面図である。
【００１９】
図１および図２において、食器洗い機１の洗浄槽１ａ内に設けたステンレス製のかご６に食器２が保持されている。ノズル３から必要に応じて水または洗剤を含有した洗剤水が噴射される。食器洗い機１の洗浄槽１ａ内の上方に霧化帯電装置４を設置し、吐出口５から霧化し帯電した水または洗剤水が洗浄槽１ａ内へ吐出される。霧化帯電装置４の底部には超音波発振子１１が設置され、水１０または洗剤を含有した洗剤水に超音波を伝播し霧化するもので、霧化装置と帯電装置を一体的に設けている。そして、霧化した水を挟んで帯電用の針状の負極８と平板状の正極９を設け、吐出口５の先端にはグリッド７を設けている。
【００２０】
かご６には図示しない電源によって直流乃至は交流の正電圧を印加できる。超音波発振子１１は図示しない共振回路によって周波数１ＭＨｚ、出力３０Ｗの超音波を発振できる。また、陰極８と正極９間には図示しない電源によって直流乃至は交流の電圧を印加できる。また、グリッド７には図示しない電源によって正電圧を印加できる。なお、霧化帯電装置４は、霧化装置と帯電装置を別々に設けてもよく、この場合は、帯電装置は霧化した液体を洗浄槽１ａ内へ吐出する経路に設けられる。
【００２１】
なお、霧化し帯電した水１０の食器２への付着状態を目視観察するために、黒色水溶性塗料を適量水１０に溶解させ黒色に着色した水を実験に用いた。
【００２２】
以上のように構成された食器洗い機について、以下その動作、作用を説明する。まず、陰極８と正極９の間に電圧を印加せず、かつ、かご６、グリッド７に電圧を印加しない状態で、超音波発振子１１を発振させた場合、吐出口５からは霧化した水の吐出が確認されたが、ドライフォグ現象により食器２には霧化した水はほとんど付着せず、霧化した水は食器洗い機１の洗浄槽１ａ内底部に沈降した。この様に、水を帯電せずに霧化するだけでは、霧化した水が食器にほとんど付着しないことが確認できた。
【００２３】
次に、陰極８と正極９間に直流電圧１ｋＶを印加し、かご６、グリッド７には電圧を印加しない状態で超音波発振子１１を発振させた場合、吐出口５から霧化した水の吐出が確認でき、また、食器２の表面に多くの水の吸着が確認できた。更に、かご６に正電圧２０Ｖを印加すると、食器２への水の吸着量が更に多くなることが確認できた。また、更にグリッド７に正電圧２０Ｖを印加すると、吐出口７から吐出される霧化した水の吐出速度が速まることが確認できた。また、超音波発振子１１の代わりに、図示しないヒータを用いて水１０を約８０℃に加熱して蒸気を発生させた場合、超音波発振子１１により水１０を霧化した場合よりも更に多くの水の食器２への吸着が確認できた。
【００２４】
この様に、霧化した水を帯電することにより食器２表面へ吸着させることができる。また、食器２を保持するかご６に正電圧を印加することにより、霧化、帯電した水の食器２表面への吸着を促進することができる。また、正電圧のグリッド７により、霧化、帯電した水の吐出速度を速めることができる。また、霧化した水として蒸気を用いた場合、より多くの水を食器２の表面に吸着させることができる。
【００２５】
次に、かご６、グリッド７には電圧を印加せず超音波発振子１１を発振させた状態で、陰極８と正極９間の電圧を変えて水の食器２への吸着を観察したところ、陰極８と正極９間の電圧が２００Ｖ以上の場合に食器２への水の吸着が確認でき、また、その電圧を２ｋＶ以上とした場合、吐出口５からオゾン臭が発生した。
【００２６】
この様に、霧化した水が効率良く食器に吸着するためには、霧化した水の帯電のために陰極８と正極９間に印加する電圧は２００Ｖ以上が必要で、また人体に有害なオゾン発生を抑制するためには２ｋＶ以下である必要がある。
【００２７】
以上のように、本実施の形態においては霧化した水を帯電することにより、ドライフォグ現象を抑制して水を食器表面へ吸着させることができるので、霧化することにより表面積が増大した水乃至は洗剤水が食器表面を効率良く洗浄や濯ぎをする食器洗い機が実現する。
【産業上の利用可能性】
【００２８】
以上のように、本発明にかかる食器洗い機は、霧化した水や洗剤水を効率良く洗浄対象の表面に吸着させ得るので、衣類洗濯機などの洗浄機能を必要とする装置全般にも適用できる。
【図面の簡単な説明】
【００２９】
【図１】本発明の実施の形態１における食器洗い機の断面図
【図２】同食器洗い機の霧化帯電装置の断面図
【図３】従来の食器洗い機の断面図
【符号の説明】
【００３０】
１  食器洗い機
１ａ  洗浄槽
２  食器
３  ノズル
４  霧化帯電装置
５  吐出口
６  かご
７  グリッド
８  負極
９  正極
１０  水
１１  超音波発振子
【図１】
2005168795.tif 000003
【図２】
2005168795.tif 000004
【図３】
2005168795.tif 000005